(57)【特許請求の範囲】
【請求項１】
リモコン送信機用内部データを格納するための不揮発性メモリを有するリモコン送信機、リモコン送信機によって遠隔操作されうる複数の制御対象機器それぞれに対するリモコン送信機用内部データを保持しているサーバ、およびブラウザ機能を有しかつサーバからリモコン送信機が必要とする制御対象機器に対応したリモコン送信機用内部データを取得して、リモコン送信機の不揮発性メモリに格納させるためのデジタル放送受信機を備えており、
サーバは、制御対象機器をユーザに選択させるとともにリモコンキーとして割り当てる機能項目をユーザに選択させるためのメニュー画面をＷｅｂページとして提供する手段を備えており、
デジタル放送受信機は、ユーザ操作に基づいて、制御対象機器をユーザに選択させるための機器選択メニュー画面をサーバから取得して表示する第１手段、機器選択メニュー画面上において取得すべきリモコン送信機用内部データに対応する機器をユーザに選択させる第２手段、第１手段によって機器が選択されると、リモコンキーとして割り当てる機能項目をユーザに選択させるためのリモコンキーメニュー画面をサーバから取得して表示する第３手段、リモコンキーメニュー画面上においてリモコンキーとして割り当てる機能項目をユーザに選択させる第４手段、ならびに第２手段によって選択された機器に対応したリモコン送信機用内部データのうち、第４手段によって選択された機能項目をリモコンキーに割り当てるためのリモコン送信機用内部データをサーバからダウンロードして、リモコン送信機に送信する第５手段を備えており、
リモコン送信機は、デジタル放送受信機から送られてきたリモコン送信機用内部データを不揮発性メモリに格納する手段を備えていることを特徴とするリモコン送信機の内部データ設定装置。
【請求項２】
リモコン送信機は、不揮発性メモリに格納されたリモコン送信機用内部データに基づいて、複数のリモコンキーを各リモコンキーに割り当てられる機能とともに表示するタッチパネル型表示器を備えていることを特徴とする請求項１に記載のリモコン送信機の内部データ設定装置。
【請求項３】
リモコン送信機は、複数の機能設定可能なリモコンキーと、不揮発性メモリに格納されたリモコン送信機用内部データに基づいて、各リモコンキーに割り当てられる機能を表示する表示器と、表示器の表示内容を切り替えてリモコンキーに割り当てられる機能を切り替える手段とを備えていることを特徴とする請求項１に記載のリモコン送信機の内部データ設定装置。
【発明の詳細な説明】
【０００１】
この発明は、リモコン送信機の内部データ設定装置に関する。
【０００２】
【従来の技術】
テレビジョン受像機（ＴＶ）、ＶＴＲ、ＤＶＤプレーヤ、ＣＤプレーヤ等は、リモコン送信機によって遠隔操作されることが多い。従来のリモコン送信機では、予め配置されている機能設定可能なリモコンキーに、所定の機能を割り当てるものであった。リモコンキーに所定の機能を割り当てるための内部データは、たとえば、既に内部データが設定されている他のリモコン送信機と、内部データを設定しようとするリモコン送信機とを向かい合わせて、内部データ設定済のリモコン送信機から内部データを設定しようとするリモコン送信機に、赤外線信号によって内部データを転送するといった方法が採られていた。
【０００３】
このように、従来では、リモコン送信機に内部データを設定するには、内部データ設定済の他のリモコン送信機を用意する必要があった。また、機能設定可能なリモコンキーは予め固定されているため、ユーザがリモコンキーとして割り当てたい機能が増加した場合には、リモコンキーが足りなくなるという問題がある。
【０００４】
【発明が解決しようとする課題】
この発明は、リモコン送信機の内部データの設定が容易となるリモコン送信機の内部データ設定装置を提供することを目的とする。
【０００５】
また、この発明は、リモコンキーとして割り当てたい機能の数に応じて、リモコンキーを設定することが可能となるリモコン送信機の内部データ設定装置を提供することを目的とする。
【０００６】
【課題を解決するための手段】
この発明によるリモコン送信機の内部データ設定装置は、リモコン送信機用内部データを格納するための不揮発性メモリを有するリモコン送信機、リモコン送信機によって遠隔操作されうる複数の制御対象機器それぞれに対するリモコン送信機用内部データを保持しているサーバ、およびブラウザ機能を有しかつサーバからリモコン送信機が必要とする制御対象機器に対応したリモコン送信機用内部データを取得して、リモコン送信機の不揮発性メモリに格納させるためのデジタル放送受信機を備えており、サーバは、制御対象機器をユーザに選択させるとともにリモコンキーとして割り当てる機能項目をユーザに選択させるためのメニュー画面をＷｅｂページとして提供する手段を備えており、デジタル放送受信機は、ユーザ操作に基づいて、制御対象機器をユーザに選択させるための機器選択メニュー画面をサーバから取得して表示する第１手段、機器選択メニュー画面上において取得すべきリモコン送信機用内部データに対応する機器をユーザに選択させる第２手段、第１手段によって機器が選択されると、リモコンキーとして割り当てる機能項目をユーザに選択させるためのリモコンキーメニュー画面をサーバから取得して表示する第３手段、リモコンキーメニュー画面上においてリモコンキーとして割り当てる機能項目をユーザに選択させる第４手段、ならびに第２手段によって選択された機器に対応したリモコン送信機用内部データのうち、第４手段によって選択された機能項目をリモコンキーに割り当てるためのリモコン送信機用内部データをサーバからダウンロードして、リモコン送信機に送信する第５手段を備えており、リモコン送信機は、デジタル放送受信機から送られてきたリモコン送信機用内部データを不揮発性メモリに格納する手段を備えていることを特徴とする。
【０００７】
リモコン送信機は、不揮発性メモリに格納されたリモコン送信機用内部データに基づいて、複数のリモコンキーを各リモコンキーに割り当てられる機能とともに表示するタッチパネル型表示器を備えていることが好ましい。
【０００８】
リモコン送信機は、複数の機能設定可能なリモコンキーと、不揮発性メモリに格納されたリモコン送信機用内部データに基づいて、各リモコンキーに割り当てられる機能を表示する表示器と、表示器の表示内容を切り替えてリモコンキーに割り当てられる機能を切り替える手段とを備えていることが好ましい。
【００１２】
【発明の実施の形態】
以下、図１〜図４を参照して、この発明の実施の形態について説明する。
【００１３】
図１は、リモコン送信機の内部データの更新、追加を行なうためのシステム構成を示している。
【００１４】
図１において、１はリモコン送信機、２はモデムが内蔵されかつブラウザ機能を備えたデジタルテレビ放送受信機、３はリモコン送信機１の内部データの更新、追加を行なうためのサービスを提供するサーバである。サーバ３は、リモコン送信機１によって遠隔操作されうる制御対象機器毎のリモコン送信機用内部データを保持している。また、サーバ３は、制御対象機器をユーザに選択させるとともにリモコンキーとして割り当てる機能をユーザに選択させるためのメニュー画面をＷｅｂページとして提供する機能を備えている。
【００１５】
リモコン送信機の内部データの更新、追加を行なう際には、リモコン送信機１は、例えばＩＥＥＥ１３９４等の通信手段を介してデジタルテレビ放送受信機２に接続される。
【００１６】
リモコン送信機の内部データの更新、追加を行なう際には、まず、デジタルテレビ放送受信機２のブラウザ機能を利用して、デジタルテレビ放送受信機２を電話回線およびインターネット４を介してサーバ３に接続し、図２（ａ）に示すような家電メニューをサーバ３から取得して表示する。
【００１７】
家電メニューには、ＴＶ、ＶＴＲ、ＤＶＤ（ＤＶＤプレーヤ）、ＣＤ（ＣＤプレーヤ）等の家電製品の種類のリスト（以下、家電リストという）が表示される。ユーザは、デジタルテレビ放送受信機２の操作部を操作して、家電リストからリモコン送信機１で遠隔操作したい家電製品を選択する。
【００１８】
家電リストから家電製品が選択されると、図２（ｂ）に示すように、選択された家電製品の製造メーカを選択させるためのメーカリストというが表示される。ユーザは、デジタルテレビ放送受信機２の操作部を操作して、メーカリストからリモコン送信機１で遠隔操作したい家電製品の製造メーカを選択する。
【００１９】
メーカリストから製造メーカが選択されると、図２（ｃ）に示すように、選択された家電製品の機種を選択させるための機種リストが表示される。ユーザは、デジタルテレビ放送受信機２の操作部を操作して、機種リストからリモコン送信機１で遠隔操作したい家電製品の機種を選択する。これにより、制御対象機器が特定される。
【００２０】
図２の例では、家電製品としてＴＶが選択され、メーカとしてＡ社が選択され機種としてＤＺ１が選択された例を示している。
【００２１】
機種リストから機種が選択された後、デジタルテレビ放送受信機２の操作部の操作により、ＯＫボタンが押されると、図２（ｄ）に示すように、リモコンキーメニューが表示される。リモコンキーメニューにおいては、ユーザによって選択された制御対象機器に対して、リモコンキーとして割り当て可能な全ての機能項目が、チェックボックスとともに表示される。
【００２２】
ユーザは、リモコンキーメニューから、必要とする機能項目を選択する。機能項目の選択は、デジタルテレビ放送受信機２の操作部を操作して、チェックボックスをチェックすることにより行なわれる。必要とする機能項目の選択が完了すると、デジタルテレビ放送受信機２の操作部を操作して、ＯＫボタンを押す。
【００２３】
ＯＫボタンが押されると、ユーザによって選択された機能項目をリモコンキーとして割り当てるためのリモコン送信機用内部データが、デジタルテレビ放送受信機２によってサーバ３からダウンロードされる。デジタルテレビ放送受信機２によってダウンロードされたリモコン送信機用内部データは、リモコン送信機１に転送され、リモコン送信機１の不揮発性メモリに格納される。
【００２４】
図３は、リモコン送信機１の一例を示している。
【００２５】
このリモコン送信機１は、制御対象機器の種類を選択するための制御対象機器選択キー１１、制御対象機器選択キー１１によって選択された制御対象機器に対して機能が設定されたリモコンキーを、各リモコンキーに割り当てられている機能とともに表示するタッチパネル型表示器１２、およびタッチパネル型表示器１２に当該制御対象機器に対して機能が設定された全てのリモコンキーを一度に表示しきれない場合に、タッチパネル型表示器１２に表示されるリモコンキーを切り替えるための上下一対のページ切替キー１３を備えている。図３は、制御対象機器選択キー１１によってＶＴＲが選択されている例を示している。
【００２６】
図４は、リモコン送信機１の他の例を示している。
【００２７】
このリモコン送信機１は、制御対象機器の種類を選択するための制御対象機器選択キー２１、５つの機能設定な可能なリモコンキー３１〜３５、リモコンキー群３１〜３５の横に配置されかつ各リモコンキー３１〜３５に割り当てられている機能を表示する表示器２２、当該制御対象機器に対して機能を設定すべきリモコンキーが５つ以上ある場合に、表示器２２の内容を切り替えて、リモコンキー３１〜３５に割り当てる機能を切り替えるためのページ切替キー２３を備えている。図４は、制御対象機器選択キー２１によってＶＴＲが選択されている例を示している。
【００２８】
なお、サーバ３から、制御対象機器毎のリモコン送信機用内部データと、制御対象機器およびリモコンキーとして割り当てる機能をユーザに選択させるためのプログラムおよび画面データとを、デジタルテレビ放送受信機２が一括して、取得しておき、ユーザからリモコン送信機の内部データを更新または追加するための要求があったときに、サーバ３から既に取得しているリモコン送信機用内部データ、プログラムおよび画面データに基づいて、デジタルテレビ放送受信機２に上記のようなメニューを表示して、ユーザに家電製品、メーカおよび機種を選択させるとともに、リモコンキーとして割り当てられる必要な機能項目を選択させ、選択された機能項目をリモコンキーとして割り当てるためのリモコン送信機用内部データをリモコン送信機１に送信して、不揮発性メモリに格納するようにしてもよい。
【００２９】
なお、上記実施の形態では、電話回線およびインターネットを介してサーバにアクセスし、サーバが提供するホームページから会話形式でリモコン送信機用内部データをダウンロードしているが、ＣＡＴＶおよびインターネットを介してサーバにアクセスし、サーバが提供するホームページから会話形式でリモコン送信機用内部データをダウンロードするようにしてもよい。
また、サーバとしては、電話回線に直接されたサーバを用いてもよい。この場合には、電話回線を介してサーバに直接接続し、サーバからリモコン送信機用内部データを直接ダウンロードする。さらに、衛星デジタルテレビ放送のデータ放送を利用して、リモコン送信機用内部データをダウンロードするようにしてもよい。
【００３０】
【発明の効果】
この発明によれば、リモコン送信機の内部データの設定が容易となる。また、この発明によれば、リモコンキーとして割り当てたい機能の数に応じて、リモコンキーを設定することが可能となる。
【図面の簡単な説明】
【図１】リモコン送信機の内部データの更新、追加を行なうためのシステム構成を示すブロック図である。
【図２】サーバから提供されてデジタルテレビ放送受信機に表示されるメニュー画面の例を示す模式図である。
【図３】リモコン送信機の一例を示す模式図である。
【図４】リモコン送信機の他の例を示す模式図である。
【符号の説明】
１  リモコン送信機
２  デジタルテレビ放送受信機
３  サーバ
【図１】
0003963640.tif 000002
【図２】
0003963640.tif 000003
【図３】
0003963640.tif 000004
【図４】
0003963640.tif 000005